(57)【特許請求の範囲】
【請求項１】
略下向きのバーナチップがバーナチップホルダ内に保持され、バーナチップホルダ内で燃料供給系統に燃料戻り系統及び略下向きのバーナチップが接続された下向き燃焼リターン式バーナにおいて、バーナチップホルダ内における燃料供給系統を構成する管に略Ｕ字形の液封構造部を設けたことを特徴とするバーナ消火時の油滴滴下防止構造。
【請求項２】
略下向きのバーナチップがバーナチップホルダ内に保持され、バーナチップホルダ内で燃料供給系統に燃料戻り系統及び略下向きのバーナチップが接続された下向き燃焼リターン式バーナにおいて、バーナチップホルダ内における燃料供給系統に接続された燃料戻り系統の戻り油出口部を構成する管に略Ｕ字形の液封構造部を設けたことを特徴とするバーナ消火時の油滴滴下防止構造。
【請求項３】
略下向きのバーナチップがバーナチップホルダ内に保持され、バーナチップホルダ内で燃料供給系統に燃料戻り系統及び略下向きのバーナチップが接続された下向き燃焼リターン式バーナにおいて、バーナチップホルダ内における燃料供給系統を構成する管の少なくとも下部に略Ｕ字形の液封構造部を設けるとともに、バーナチップホルダ内における燃料供給系統に接続された燃料戻り系統の戻り油出口部を構成する管に略Ｕ字形の液封構造部を設けたことを特徴とするバーナ消火時の油滴滴下防止構造。
【発明の詳細な説明】
【０００１】
【発明の属する技術分野】
本発明は、下向き燃焼リターン式バーナで、バーナ消火時にバーナチップ先端から油が炉内に滴下するのを防止する油滴滴下防止構造に関するものである。
【０００２】
【従来の技術】
たて型の多管式貫流ボイラなどでは、バーナとして下向き燃焼リターン式バーナが用いられることがある。例えば、図２に示すように、ポンプ１０により燃料供給管１２からバーナ１４に燃料（油）が供給され、送風機１６からは燃焼用空気が供給されて、ボイラ１８の燃焼室２０内でバーナ１４による燃焼が行われ、バーナ１４の燃焼量の調整は、戻り油管２２からの油の戻し量を調量弁２４で調節して行われる。２６、２８は弁である。バーナ１４には、燃料供給管１２に接続されたバーナチップ３０を保持し、戻り油管２２と戻り油出口部で接続されたバーナチップホルダ３２が設けられている。
【０００３】
【発明が解決しようとする課題】
下向き燃焼リターン式バーナでは、バーナ消火時に、燃料供給管内及び戻り油管内に満たされた油が、バーナチップ先端から侵入する空気と置換することにより、バーナチップ先端から滴下するという問題がある。バーナ消火時に、燃料供給系統及び燃料戻り系統の内部の油が、バーナチップ先端から炉内に滴下すると、未燃ガスを発生する危険性がある。
従来は、バネ入り防滴弁や戻り油逆止弁などを設けて、油滴の滴下防止の対策を講じているが、弁漏れなどがあり完全ではない。また、防滴弁を設ける場合は背圧抜き配管（スピル用）が必要になる。
【０００４】
本発明は上記の諸点に鑑みなされたもので、本発明の目的は、下向き燃焼リターン式バーナにおけるバーナチップホルダ内及び／又はバーナチップホルダの戻り油出口部（出口継手を含む）に、略Ｕ字形の液封構造を設けることにより、バーナ消火時に、バーナチップ先端から油が炉内に滴下するのを防止することができる油滴滴下防止構造を提供することにある。
【０００５】
【課題を解決するための手段】
上記の目的を達成するために、本発明のバーナ消火時の油滴滴下防止構造は、略下向きのバーナチップがバーナチップホルダ内に保持され、バーナチップホルダ内で燃料供給系統に燃料戻り系統及び略下向きのバーナチップが接続された下向き燃焼リターン式バーナにおいて、バーナチップホルダ内における燃料供給系統を構成する管に略Ｕ字形の液封構造部を設けた構成とされている。
【０００６】
また、本発明のバーナ消火時の油滴滴下防止構造は、略下向きのバーナチップがバーナチップホルダ内に保持され、バーナチップホルダ内で燃料供給系統に燃料戻り系統及び略下向きのバーナチップが接続された下向き燃焼リターン式バーナにおいて、バーナチップホルダ内における燃料供給系統に接続された燃料戻り系統の戻り油出口部を構成する管に略Ｕ字形の液封構造部を設けたことを特徴としている。
【０００７】
また、本発明のバーナ消火時の油滴滴下防止構造は、略下向きのバーナチップがバーナチップホルダ内に保持され、バーナチップホルダ内で燃料供給系統に燃料戻り系統及び略下向きのバーナチップが接続された下向き燃焼リターン式バーナにおいて、バーナチップホルダ内における燃料供給系統を構成する管の少なくとも下部に略Ｕ字形の液封構造部を設けるとともに、バーナチップホルダ内における燃料供給系統に接続された燃料戻り系統の戻り油出口部を構成する管に略Ｕ字形の液封構造部を設けたことを特徴としている。
【０００８】
【発明の実施の形態】
以下、本発明の実施の形態について説明するが、本発明は下記の実施の形態に何ら限定されるものではなく、適宜変更して実施することができるものである。図１は、本発明の実施の第１形態によるバーナ消火時の油滴滴下防止構造を適用したノズル保持器（バーナチップホルダ）を示している。図１に示すように、ノズル保持器３４の上部には燃料入口部３６が設けられ、燃料入口部３６から供給された燃料（油）は、ノズル保持器３４内の燃料供給部３８に満たされ、燃料供給部３８の下部に接続されたバーナチップ（ノズル）４０及び燃料戻り出口部４２に送られる。燃料戻り出口部４２からの燃料（油）の戻し量を調節することにより、バーナチップ４０に供給される燃料量を調節して燃焼の出力が調整される。４４はネジ、４６はＯリングである。
【０００９】
燃料供給部３８の上部は燃料入口部３６を介して略Ｕ字管部４８が形成されており（図１の鎖線円で囲まれた部分）、略Ｕ字形の液封構造となっている。燃料供給部３８の下部には略Ｕ字管部５０が形成されており、略Ｕ字形の液封構造となっている。また、燃料戻り出口部４２は出口継手部５２を介して略Ｕ字管部５４が形成されており（図１の鎖線円で囲まれた部分）、略Ｕ字形の液封構造となっている。
ノズル保持器の内部（バーナチップホルダ内）における燃料供給系統及び戻り油出口部（出口継手を含む）に、略Ｕ字形の液封構造を設けることにより、バーナ消火時に、燃料供給管内及び戻り油管内の油がバーナチップ先端から侵入する空気と置換してバーナチップ先端から滴下することが防止される。
なお、液封構造の形状は略Ｕ字形に限定されるものではなく、燃料供給系統や燃料戻り系統の内部の油がバーナチップ先端から侵入する空気と置換しないような液封構造であれば、略Ｖ字形状、その他の凹形状などの形状を採用することが可能である。
【００１０】
【発明の効果】
本発明は上記のように構成されているので、つぎのような効果を奏する。
（１）  下向き燃焼リターン式バーナにおけるバーナチップホルダ内及び／又はバーナチップホルダの戻り油出口部（出口継手を含む）に、略Ｕ字形の液封構造を設けることにより、バーナ消火時に、バーナチップ先端から油が炉内に滴下するのを防止することができる。
（２）  バーナ消火時に、燃料供給系統及び燃料戻り系統の内部の油が、バーナチップ先端から炉内に滴下することが防止されるので、未燃ガスを発生する危険性がなくなる。
（３）  弁構造がないため、シートリークによる不具合が起こることがない。
（４）  バネ入り防滴弁、防滴弁背圧抜き配管（スピル用）、戻り油逆止弁などを省略することができる。
【図面の簡単な説明】
【図１】本発明の実施の第１形態によるバーナ消火時の油滴滴下防止構造を適用したノズル保持器を示す概略構成断面説明図である。
【図２】下向き燃焼リターン式バーナを適用した多管式貫流ボイラの一例を示す概略構成図である。
【符号の説明】
１０  ポンプ
１２  燃料供給管
１４  バーナ
１６  送風機
１８  ボイラ
２０  燃焼室
２２  戻り油管
２４  調量弁
２６、２８  弁
３０、４０  バーナチップ
３２  バーナチップホルダ
３４  ノズル保持器
３６  燃料入口部
３８  燃料供給部
４２  燃料戻り出口部
４４  ネジ
４６  Ｏリング
４８、５０、５４  略Ｕ字管部
５２  出口継手部
【図１】
0004302865.tif 000002
【図２】
0004302865.tif 000003